(57)【要約】【課題】濃度ムラが現れることなく記録することができるインクジェット記録装置およびインクジェット記録方法を提供すること。【解決手段】複数パス記録で低記録率領域と高記録率領域とを有するマスクパターンを用いて行う記録において、記録画像の左右両端部における高記録率領域と低記録率領域の記録率の差を無くす。【選択図】図５
2011079248.tif 000002
【特許請求の範囲】
【請求項１】
記録ヘッドからインクを吐出して記録を行う記録手段と、
前記記録手段を同一の記録領域に対して複数回走査させる走査手段と、
前記同一の記録領域に対する複数回の走査それぞれに対応する異なるマスクパターンを用い、前記同一の記録領域に対応する２値の画像データを間引く間引き手段と、
前記複数回の走査それぞれにおいて前記間引き手段により間引かれた２値の画像データに基づいて前記同一の記録領域に間引き画像を記録することにより、前記同一の記録領域への記録を完成させる記録制御手段と、
を備えたインクジェット記録装置において、
前記異なるマスクパターンの夫々は、前記２値の画像データを相対的に高い間引き率で間引いた第１領域と相対的に低い間引き率で間引いた第２領域とを備え、記録する画像において前記記録ヘッドが折り返す前記画像の両端部での、前記第１領域と前記第２領域との記録率の差が、前記画像中央部における前記第１領域と前記第２領域との記録率の差よりも少ないことを特徴とするインクジェット記録装置。
【請求項２】
前記画像の両端部における、前記第１領域と前記第２領域との記録率の差は無いことを特徴とする請求項１に記載のインクジェット記録装置。
【請求項３】
前記第１領域の記録率は、前記画像中央部から前記画像の両端部に向かうにつれて記録率が増加し、前記第２領域の記録率は、前記画像中央部から前記画像の両端部に向かうにつれて記録率が低下することを特徴とする請求項１または請求項２に記載のインクジェット記録装置。
【請求項４】
前記記録ヘッドは、前記インクを吐出するための熱エネルギを発生する電気熱変換体を備えていることを特徴とする請求項１ないし請求項３のいずれかに記載のインクジェット記録装置。
【請求項５】
記録ヘッドからインクを吐出して記録を行う記録工程と、
前記記録手段を同一の記録領域に対して複数回走査させる走査工程と、
前記同一の記録領域に対する複数回の走査それぞれに対応する異なるマスクパターンを用い、前記同一の記録領域に対応する２値の画像データを間引く間引き工程と、
前記複数回の走査それぞれにおいて前記間引き手段により間引かれた２値の画像データに基づいて前記同一の記録領域に間引き画像を記録することにより、前記同一の記録領域への記録を完成させる記録制御工程と、
を備えたインクジェット記録方法において、
前記異なるマスクパターンの夫々は、前記２値の画像データを相対的に高い間引き率で間引いた第１領域と相対的に低い間引き率で間引いた第２領域とを含み、記録する画像において前記記録ヘッドが折り返す前記画像の両端部での、前記第１領域と前記第２領域との記録率の差が、前記画像中央部における前記第１領域と前記第２領域との記録率の差よりも少ないことを特徴とするインクジェット記録方法。
【発明の詳細な説明】
【技術分野】
【０００１】
本発明は、インクを吐出するノズルを高密度に配列してなるノズル列を有するインクジェット記録ヘッドを用いて、記録媒体上に画像を記録するインクジェット記録方法およびインクジェット記録装置に関する。
【背景技術】
【０００２】
コンピュータやワードプロセッサ等の情報処理機器および通信機器の普及に伴い、それらの機器において処理されたデジタル画像情報を出力する出力装置の需要が高まっている。この出力装置の一つとして、インク滴を吐出して記録媒体上にドットを形成することにより画像を形成するインクジェット記録装置が急速に普及しており、近年カラーの記録画像を出力可能とする要求が高まっている。特に写真画像の出力においては高画質化のためインク滴の体積をより小さくすることが望まれている。一方、近年のノズルの集積配列化の技術進歩を背景に、高密度かつ長尺な記録ヘッドの製作が可能になりつつある。しかしながら、高密度かつ長尺な記録ヘッドを用いて記録動作を行う場合、以下のような問題が発生することがある。すなわち、高速に記録ヘッドの記録走査ないしは記録媒体の走査を行うと、記録ヘッドと記録媒体との間に気流が発生する。その上でノズルを高密度に配列した記録ヘッドから同時に多数のインク滴を吐出すると、高密度なインク吐出によって気流に乱れが生じ、その結果、インク滴の着弾位置が乱れ、画像品質を著しく低下させる。
【０００３】
このような画像品質の低下を防ぐ方法として、特許文献１に開示された技術が知られている。特許文献１では、画像データを間引いたマスクパターンを用いて記録を行っており、記録すべき画像データを、ノズルの配列方向において高、低異なる間引き率で交互に間引いている。このようなマスクパターンを用いて同一の領域に対して複数回の記録を行うことにより、記録ヘッドと記録媒体との間に発生する気流の乱れが軽減され、インク滴の着弾位置を高精度に保つことが可能になり、高品質な画像が得られるとしている。
【先行技術文献】
【特許文献】
【０００４】
【特許文献１】特開２００６−１９２８９２号公報
【発明の概要】
【発明が解決しようとする課題】
【０００５】
特許文献１に記載の技術では、ノズル配列方向における吐出インクの壁に気流が抜けるのに十分な隙間を形成するため、高記録率領域、および低記録率領域は相応の領域高を必要とし、１走査における濃淡パターンが目視で識別可能な大きさとなる。各々の領域は異なる複数の走査によって画像が補完されるので、往復走査で記録を行う場合、画像の左右両端部は、走査開始部と走査終了部が重なることになる。
【０００６】
ここで、例えば同一の領域に対して２回の走査で記録を完成させる場合、画像端部に着目すると、第１の走査における走査開始部と、第２の走査における走査終了部とが重なって補完される。一般に走査開始時は走査間での記録媒体送り等の待機時間のため記録ヘッド温度が周囲温度近くまで低下する。一方、走査終了時は走査中の吐出動作によって記録ヘッド温度が上昇した状態になっている。このため、走査開始時に記録された高記録率領域と、走査終了時の昇温した記録ヘッド温度で記録された高記録率領域とは、記録ヘッド温度差により記録濃度が異なり、マスクパターンをトレースした濃度ムラが記録画像に現れてしまうことがあった。
【０００７】
よって本発明は、濃度ムラが現れることなく記録することができるインクジェット記録装置およびインクジェット記録方法を提供することを目的とする。
【課題を解決するための手段】
【０００８】
そのため本発明のインクジェット記録装置は、記録ヘッドからインクを吐出して記録を行う記録手段と、前記記録手段を同一の記録領域に対して複数回走査させる走査手段と、前記同一の記録領域に対する複数回の走査それぞれに対応する異なるマスクパターンを用い、前記同一の記録領域に対応する２値の画像データを間引く間引き手段と、前記複数回の走査それぞれにおいて前記間引き手段により間引かれた２値の画像データに基づいて前記同一の記録領域に間引き画像を記録することにより、前記同一の記録領域への記録を完成させる記録制御手段と、を備えたインクジェット記録装置において、前記異なるマスクパターンの夫々は、前記２値の画像データを相対的に高い間引き率で間引いた第１領域と相対的に低い間引き率で間引いた第２領域とを備え、記録する画像において前記記録ヘッドが折り返す、前記画像の両端部での、前記第１領域と前記第２領域との記録率の差が、前記画像中央部における前記第１の領域と前記第２の領域との記録率の差よりも少ないことを特徴とする。
【０００９】
また、本発明のインクジェット記録方法は、記録ヘッドからインクを吐出して記録を行う記録工程と、前記記録手段を同一の記録領域に対して複数回走査させる走査工程と、前記同一の記録領域に対する複数回の走査それぞれに対応する異なるマスクパターンを用い、前記同一の記録領域に対応する２値の画像データを間引く間引き工程と、前記複数回の走査それぞれにおいて前記間引き手段により間引かれた２値の画像データに基づいて前記同一の記録領域に間引き画像を記録することにより、前記同一の記録領域への記録を完成させる記録制御工程と、を備えたインクジェット記録方法において、前記異なるマスクパターンの夫々は、前記２値の画像データを相対的に高い間引き率で間引いた第１領域と相対的に低い間引き率で間引いた第２領域とを含み、記録する画像において前記記録ヘッドが折り返す、前記画像の両端部での、前記第１領域と前記第２領域との記録率の差が、前記画像中央部における前記第１の領域と前記第２の領域との記録率の差よりも少ないことを特徴とする。
【発明の効果】
【００１０】
本発明によれば、インクジェット記録装置は、異なるマスクパターンの夫々において、２値の画像データを相対的に高い間引き率で間引いた第１領域と相対的に低い間引き率で間引いた第２領域とを備える。そして、記録する画像において記録ヘッドが折り返す、画像の両端部での、第１領域と第２領域との記録率の差を、画像中央部における第１の領域と第２の領域との記録率の差よりも少なくする。これによって、濃度ムラが現れることなく記録することができるインクジェット記録装置を提供することができる。
【図面の簡単な説明】
【００１１】
【図１】第１の実施形態に適用可能なインクジェット記録装置を示した正面図である。
【図２】図１の記録装置の記録ヘッドに設けられた吐出部を説明するための図である。
【図３】インクジェット記録装置の制御系の一構成例を示したブロック図である。
【図４】本実施形態の記録ヘッドを吐出口面側から観察した場合の平面図である。
【図５】マスクパターンの一部を概念的に示した平面図である。
【図６】第２の実施形態にかかるマスクパターンを示した平面図である。
【発明を実施するための形態】
【００１２】
（基本的構成）
（第１の実施形態）
以下、図面を参照して本発明の第１の実施形態の基本的構成について説明する。  
図１は、本実施形態に適用可能なシリアル型インクジェット記録装置（以下、単に記録装置ともいう）の概略構成を示した正面図である。キャリッジ３２はガイドシャフト２７およびリニアエンコーダ２８によって主走査方向（Ｘ方向）に沿って往復移動可能に支持されている。このキャリッジ３２は、キャリッジモータ３０を駆動し、駆動ベルト２９を移動させることにより、ガイドシャフト２７に沿って往復移動する。また、キャリッジ３２には、インクジェット記録ヘッド（以下、単に記録ヘッドともいう）２１が着脱可能に搭載されている。記録ヘッド２１には、インクを吐出するための吐出部（以下、ノズルともいう）が複数配列されている。この記録ヘッド２１の各ノズルの内に形成される液路には、液路内のインクを吐出させるための熱エネルギを発生する発熱素子（電気熱変換体）が設けられている。また、このシリアル型インクジェット記録装置には、普通紙や高品位専用紙、ＯＨＰシート、光沢紙、光沢フィルム、ハガキ等の記録媒体Ｐを搬送する搬送機構が設けられている。この搬送機構は、不図示の搬送ローラと、排紙ローラ２５および、搬送モータ２６などを有し、搬送モータ２６の駆動に伴い副走査方向（矢印Ｙ方向）に間欠的に搬送される。
【００１３】
記録ヘッド２１および搬送機構には、後述のコントローラ部から送出される吐出信号および制御信号がフレキシブルケーブル２３を介して送られ、その吐出信号および制御信号などに応じて各記録ヘッド２１および搬送機構が動作する。記録ヘッド２１の発熱素子は、リニアエンコーダ２８から出力されるキャリッジ３２の位置信号と、吐出信号とに基づいて駆動され、駆動時に発生する熱エネルギによってインク滴をノズルから吐出させて記録媒体上に着弾させる。また、搬送機構は、制御信号に基づき、記録ヘッド２１の主走査と主走査との間において記録媒体を副走査方向へと一定量搬送する。この記録ヘッド２１による記録動作と搬送機構による搬送動作とにより複数回走査を繰り返すことにより、記録媒体全体に画像が形成される。また、記録領域外に設定されたキャリッジ３２のホームポジションには、記録ヘッド２１に形成される吐出口の密閉、開放を可能とするキャップ部３５を備えた回復ユニット３４が設置されている。
【００１４】
図２は、本実施形態の記録装置の記録ヘッドに設けられた吐出部（ノズル）の構造を説明するための図である。記録ヘッド２１は、インクを加熱するための複数のヒータｎｂが形成された基板であるヒータボードｎｄと、このヒータボードｎｄの上にかぶせられる天板ｎｅとから概略構成されている。天板ｎｅには、複数の吐出口ｎａが形成されており、吐出口ｎａの後方には、この吐出口ｎａに連通するトンネル状の液路ｎｃが形成されている。各液路ｎｃは、その後方において１つのインク液室に共通に接続されており、インク液室にはインク供給口を介してインクが供給され、このインクはインク液室からそれぞれの液路ｎｃに供給される。このヒータボードｎｄと天板ｎｅとは、各液路ｎｃに各ヒータｎｂが対応するように位置決めされて接合される。図２では、４つのヒータｎｂしか示されていないが、ヒータｎｂは、夫々の液路ｎｃに対応して１つずつ配置されている。このヒータｎｂに所定の駆動パルスを供給すると、ヒータｎｂ上のインクが沸騰して気泡を形成し、この気泡の体積膨張により液路ｎｃ内のインクが吐出口ｎａから液滴となって吐出される。また、吐出口ｎａと、ヒータｎｂと、液路ｎｃとにより、ノズル（吐出部）ｎが構成されている。
【００１５】
図３は、本実施形態におけるインクジェット記録装置の制御系の一構成例を示したブロック図である。データ入力部７１は、ホストコンピュータなどをはじめとする外部機器８０から送信される画像データおよび制御データなどを受信する。操作部７２は、データ入力あるいは設定操作などを行う。また、ＣＰＵ７３は、各種の情報処理および記録制御を行い、記憶媒体７４は、各種データを記憶する。この記憶媒体７４には、記録媒体の主に種類に関する情報、インクに関する情報、記録時の温度、湿度などの環境に関する情報などの画像記録情報、を格納する記録情報格納部７４ａ、および各種制御プログラム群を格納するプログラム格納部７４ｂなどを含む。さらに、ＲＡＭ７５はＣＰＵ７２の処理データや入力データなどを一時的に格納する。データ処理部７６は、入力された画像データに対して色変換、二値化処理などを含む所定の画像処理を行う。また、画像記録部７７は記録ヘッド２１や搬送機構などによって画像出力を実行する。バスライン７８は本装置内のアドレス信号、データ、制御信号などを伝送する。外部機器８０としては、例えば、スキャナやデジタルカメラなどの画像入力機器、あるいはパーソナルコンピュータなどがある。このスキャナやデジタルカメラ等から出力される多値画像データ（例えば、ＲＧＢの８ｂｉｔデータ）やパーソナルコンピュータのハードディスク等に保存されている多値画像データは画像データ入力部７１に入力される。また、操作部７２は各種パラメータの設定および記録開始指示の入力などを行うための各種キーが備えられている。ＣＰＵ７３は記憶媒体中の各種プログラムに従ってインクジェット記録装置全体の制御を行う。記憶媒体７４に格納されるプログラムとしては、制御プログラムやエラー処理プログラムに従ってインクジェット記録装置を動作させるためのプログラムがあり、本実施形態の動作は全てこのプログラムに従って実行される。また、このプログラムを格納する記憶媒体７４としては、ＲＯＭ、ＦＤ、ＣＤ−ＲＯＭ、ＨＤ、メモリカード、光磁気ディスクなどが使用可能である。ＲＡＭ７５は、記憶媒体７４に格納される各種プログラムを実行する際のワークエリア、エラー処理時の一時待避エリア及び画像処理時のワークエリアとして用いられる。また、ＲＡＭ７５では、記憶媒体７４の中の各種テーブルをコピーした後、そのテーブルの内容を変更し、この変更したテーブルを参照しながら画像処理を進めることも可能である。画像処理部７６は、入力された多値画像データ（例えば、８ｂｉｔのＲＧＢデータ）を画素毎に各インク色の多値データ（例えば、８ｂｉｔのＣＭＹＢｋデータ）に変換する色分解処理を行う。さらに画像処理部７６では、その各色の多値データをＫ値（例えば、１７値）のデータに各画素毎に量子化し、その量子化された各画素が示す階調値“Ｋ”（階調値０〜１６）に対応するドット配置パターンを設定する処理を行う。なお、ここではＫ値化処理には多値誤差拡散法を用いているが、これに限定されるものではなく、平均濃度保存法、ディザマトリックス法等、任意の中間調処理方法などを用いることも可能である。また、Ｋ値化処理を行った後は、それぞれの階調値に応じて単位領域毎にドット配置パターンに対応させるドット配置パターン化処理を行う。そして、記録ヘッド２１による複数回の記録走査において、ドット配置パターン化処理によって生成された２値の記録データに対し、間引きマスクパターンにより各記録走査に記録データを分配する間引き処理を行う。なお、記録ヘッド２１による複数回の記録走査には、２列以上のノズル列を有する記録ヘッドによって行われる１回の記録走査も含まれる。
【００１６】
これら処理を繰り返すことにより、記録ヘッド２１の各ノズルに対する吐出、不吐出を表す２値の記録データが作成される。そして、画像記録部７７は、画像データ処理部７６で作成された２値の記録データに基づいてインクを吐出し、記録媒体上にドット画像を形成する。
【００１７】
図４は、ノズル列を複数列備えた本実施形態の記録ヘッド２１を吐出口面側から観察した場合の平面図である。本実施形態の記録ヘッド２１には、インクを吐出するノズルが複数配列されてなるノズル列が、複数色分（本実施形態では４色分）主走査方向に図の様に６ブロックに分けて配列されている。Ｃ１ブロックおよびＣ２ブロックは同色のシアンインクを、Ｍ１ブロックおよびＭ２ブロックは同色のマゼンタインクを、Ｙブロックはイエローインクを、Ｂｋブロックはブラックインクを吐出するノズル列をそれぞれ示している。各ノズル列において、個々のノズルは１／６００インチのピッチで副走査方向に２５６個ずつ配列しており、副走査方向には約１０．８ｍｍの記録高の画像を記録することが出来る。ＢｋブロックおよびＹブロックのノズル列は６００ｄｐｉのピッチで配列する吐出口列を２列有しており、各ノズル列の吐出口は副走査方向に互いに半ピッチずれている。各吐出口からは、約５．５ｐｌのインク滴が吐出される。Ｃ１、Ｃ２ブロック、およびＭ１、Ｍ２ブロックは、各ブロックに約５．５ｐｌのインク滴量を吐出するノズル列、約２．５ｐｌのインク滴量を吐出するノズル列、さらに、約１．５ｐｌのインク滴量を吐出するノズル列を有している。Ｃ１、Ｃ２ブロックの同じ液滴量のノズル列は、互いの吐出口が副走査方向に半ピッチずれた関係で配置している。記録ヘッド２１がキャリッジ３２に装着された状態で、複数のノズルの配列方向は、記録媒体の搬送方向である副走査方向（矢印Ｙ方向）と一致する（図１参照）。従って、記録ヘッド２１の走査方向は、この副走査方向と直交する矢印Ｘ方向となる。
【００１８】
（特徴的構成）
以下、図面を参照して本発明の実施形態の特徴的構成について説明する。  
本実施形態では、所定の幅を持つ低記録率領域（高間引き率領域、第１領域）と高記録率領域（低間引き率領域、第２領域）とを有するマスクパターンを用いて記録データを間引くことにより、記録ヘッド２１の各ノズルに記録データを分配する。これは、この実施形態の特徴的構成の一つである。
【００１９】
図５は、記録ヘッド２１の１回の走査における記録データに対する間引き処理を行うためのマスクパターン１１０の一部を概念的に示した平面図である。図５には、第１の走査によって形成される画像に適用されるマスクパターン１１０の一部、即ち、記録画像左端部から記録画像の略中央部までに適用される部分のみが示されている。マスクパターン１１０は各記録領域を２回の走査で補完しながら完成させていく所謂２パス記録方式に適合するマスクの一例であり、記録領域の中央部に５０％を越える高記録率領域Ｈｎと、５０％を下回る低記録率領域Ｌｎとを含む。マスクパターン１１０の全高（画像縦方向）は、記録ヘッド２１の１ノズル列あたりのノズル数２５６と同じ高さの画素数に設定されている（図４参照）。また、マスクパターン１１０の全幅（画像横方向）は、記録解像度（１２００ｄｐｉ）×最大記録幅（８インチ）＝９６００画素を有する。ただし、画像横方向は、マスクパターン１１０から任意の部分を抽出して、走査毎に記録画像幅に応じたマスクを構成し、記録画像に適用することができる。低記録率領域（高間引き率領域）Ｌｎは、画像処理部７６で２値化された記録データを、高い間引き率で間引く領域である。また、高記録率領域（低間引き率領域）Ｈｎは、２値化された記録データを低い間引き率で間引く領域である。本実施形態では、高記録率領域Ｈｎは６５％の記録率、低記録率領域Ｌｎは３５％の記録率と設定されている。
【００２０】
本実施形態においては、画像左端部には画像中央部と異なる記録率で設定された領域が確保されており、画像左端部における高記録率領域Ｈｎ１の記録率は画像中央部における高記録率領域Ｈｎの記録率よりも小さく設定されている。また、画像左端部における低記録率領域Ｌｎ１の記録率は画像中央部における低記録率領域Ｌｎの記録率よりも大きく設定されている。従って、画像左端部における記録率差は画像中央部における記録率差よりも小さく、画像左端部における記録率差はゼロであってもよい。本実施形態において、画像左端部の記録率は高記録率領域Ｈｎ１、および低記録率領域Ｌｎ１ともに同一の記録率５０％を設定している。また、図示していないが画像右端部についても画像左端部の鏡像パターンが形成されている。
【００２１】
本実施形態の記録方法は上述したように、各記録領域を２回の走査で、互いの走査の記録を補完しながら完成させる所謂２パス記録方式である。本実施形態の記録工程は、まず第１の走査において、図５のマスクパターン１１０を適用して記録動作を行う。次に、記録ヘッド高の半分のピッチだけ用紙送りを行い、マスクパターン１１０の反転パターン（不図示）を適用して第２の走査を実行する。更に前回と同量の用紙送りを行い、再びマスクパターン１１０を適用し、第１の走査を実行する。このように、第１の走査および第２の走査を繰返して画像記録を完成させる。
【００２２】
このマスクパターン１１０を用いれば、図４に示すような高密度にノズルを配置したノズル列の記録ヘッドを高速走査して記録を行った場合にも良好なインク滴の飛翔状態を得ることができる。これにより、着弾誤差の少ない良好な画像を形成することができる。
【００２３】
ところで、このような２パス記録方式で記録を行う場合、画像左右両端部は、ある走査における走査開始部と、別の走査における走査終了部とが重なって画像が形成される。そして、従来の記録方法では、記録率の異なる領域をもったマスクパターンを適用すると、走査開始時の記録ヘッド温度で記録された高記録率領域の記録濃度よりも、走査終了時の昇温した状態で記録された高記録率領域の記録濃度の方が高い。そのため、記録結果に濃淡ムラが発生してしまうことがあった。このような濃淡ムラは、高記録率領域と低記録率領域との記録率差が大きいほど顕著となる。このとき、高記録率領域は相対的に吐出デューティが高いため、濃度ムラの支配的要因となる。高記録率領域の吐出デューティが高いほど、高記録率領域を記録するノズル群の局所的な昇温も大きくなるため、この部分の液滴サイズもより大きくなる。従って、高記録率領域の吐出デューティが高いほど、昇温状態で記録した高記録率領域濃度と、走査開始時の相対的に低い温度で記録した高記録率領域濃度との濃度差が大きくなる。
【００２４】
高記録率領域と低記録率領域との記録率差が小さくなると、高記録率領域の吐出デューティと、低記録率領域の吐出デューティとの差も小さくなる。このとき高記録率領域を記録するノズル群の昇温と、低記録率領域を記録するノズル群の昇温との差も小さくなり、領域間の濃淡差が小さくなる。従って、走査開始時と走査終了時とで、記録ヘッド温度差があったとしても、元々領域間の濃淡差が小さいので、領域間に濃淡ムラは発生しない。本実施形態においては、画像左右両端部における高記録率領域と低記録率領域の記録率差が０であるので、領域間のヘッド昇温差がなくなり、濃淡ムラが抑制される。
【００２５】
一方、走査開始時には記録ヘッドと記録媒体との間に流入して発生する気流が小さく、また、走査終了時も画像中央部のマスクパターンにより迂回気流が抑制されている。従って、画像左右両端部において、高記録率領域と低記録率領域の記録率差が小さくなっても、気流による着弾位置ズレは微小である。また、本実施形態は、２パス記録方式の例を示したが、３パス記録方式、４パス記録方式などの記録方法においても適用可能であることはいうまでもない。
【００２６】
なお、画像左右両端部における高記録率領域と低記録率領域の記録率差が０、つまり差が無いことに限定するものではなく、画像左右両端部における高記録率領域と低記録率領域の記録率差を小さくすることで本発明の目的は達成することができる。
【００２７】
このように、複数パス記録で低記録率領域と高記録率領域とを有するマスクパターンを用いて行う記録において、記録画像の左右両端部における高記録率領域と低記録率領域の記録率の差を無くす。これによって、濃度ムラが現れることなく記録することができるインクジェット記録装置およびインクジェット記録方法を実現することができた。
【００２８】
（第２の実施形態）
以下、図面を参照して本発明の第２の実施形態について説明する。なお、本実施形態の基本的な構成は第１の実施形態と同様であるため、以下では特徴的な構成についてのみ説明する。
【００２９】
図６は、本発明の第２の実施形態にかかるマスクパターン１１１を示した平面図である。マスクパターン１１１は各記録領域を２回の走査で補完しながら完成させていく所謂２パス記録方式に適合するマスクの一例であり、５０％を越える高記録率領域Ｈｎと、５０％を下回る低記録率領域Ｌｎとを含む。図６では、第１の走査の画像に適用されるマスクパターン１１１の一部を示し、記録画像左端部から記録画像の略中央部までに適用される部分のみを示している。マスクパターン１１１の全高（画像縦方向）は、図４における記録ヘッド２１の１ノズル列あたりのノズル数２５６と同じ高さに設定されている。また、マスクパターン１１１の全幅（画像横方向）は記録解像度（１２００ｄｐｉ）×最大記録幅（８インチ）＝９６００画素を有する。ただし、画像横方向は、マスクパターン１１０から任意の部分を抽出して、走査毎に記録画像幅に応じたマスクを構成し、記録画像に適用することができる。
【００３０】
マスクパターン１１１は画像左端部において、端部に近づくに従って、低記録率領域と高記録率領域との記録率差が徐々に小さくなっている。画像右端部は図示しないが画像左端部と鏡像関係にある。本実施形態において、画像中央部における高記録率領域Ｈｎは６５％の記録率、低記録率領域Ｌｎは３５％の記録率を設定している。画像左端部の高記録率領域はＨｎ１＝６０％、Ｈｎ２＝５５％、Ｈｎ３＝５０％、のように端部へ向かうにつれて記録率が低下している。また、低記録率領域はＬｎ１＝４０％、Ｌｎ２＝４５％、Ｌｎ３＝５０％のように端部へ向かうにつれて記録率が増加している。本実施形態の場合、画像端部の記録率が変化する境界において、境界を挟む左右の記録率の差を第１の実施形態に比べ小さくすることができるので、画像形成上、より好ましい構成である。画像端部における記録率変化の段回数や各々の記録率、領域の大きさ等は、画像形成上問題が生じないように自由に設定することができる。
【００３１】
このように、複数パス記録で低記録率領域と高記録率領域とを有するマスクパターンを用いて行う記録において、記録画像の左右両端部における高記録率領域と低記録率領域の記録率の差がなくなるように段階的に記録率を変える。これによって、濃度ムラが現れることなく記録することができるインクジェット記録装置およびインクジェット記録方法を実現することができた。
【符号の説明】
【００３２】
２１  記録ヘッド
２７  ガイドシャフト
３２  キャリッジ
１１０  マスクパターン
１１１  マスクパターン
【図１】
2011079248.tif 000003
【図２】
2011079248.tif 000004
【図３】
2011079248.tif 000005
【図４】
2011079248.tif 000006
【図５】
2011079248.tif 000007
【図６】
2011079248.tif 000008